(57)【特許請求の範囲】
【請求項１】
給送される原稿に対して定位置に設置された光源ランプから光を照射し、その反射光を捕捉して原稿に形成された画像に関する情報を捕捉する画像読取装置において、
前記原稿の給送時に該原稿を適宜に緊張させて平面化して案内するプラテンガラスを、保持手段によって保持させて、装置のフレームに連繋させ、
前記保持手段を、プラテンガラスを一端部に載置させて支持するガラス支持部と、該ガラス支持部の他端部を載置させて支持し前記フレームに支持される被支持部とで形成し、
前記ガラス支持部を磁性を備えた薄肉の板材で形成し、前記被支持部を厚肉の板材で形成し、
前記ガラス支持部の前記他端部の上方に磁石を設け、該磁石にガラス支持部が磁着した状態でガラス支持部が前記被支持部から離隔し、所定値以上の荷重がプラテンガラスに加えられた状態で、前記ガラス支持部が前記磁石の磁力による拘束から離脱して前記被支持部に載置されることを特徴とする画像読取装置の給送原稿読取用プラテンガラスの保持構造。
【請求項２】
前記被支持部とフレームとの間に緩衝手段を介在させたことを特徴とする請求項１に記載の画像読取装置の給送原稿読取用プラテンガラスの保持構造。
【発明の詳細な説明】
【０００１】
【発明の属する技術分野】
この発明は、給送されている原稿に、定位置に配された光源ランプの光を照射し、その反射光から該原稿に形成された画像に関する情報を読み取る画像読取装置の、前記原稿を通過させて光を照射する部位に設けられるプラテンガラスの保持構造に関する。
【０００２】
【従来の技術】
複写機やスキャナ等、紙面等に表された原稿の画像情報を読み取って各種の処理を行う画像読取装置は、原稿に蛍光灯等の光源ランプから光を照射し、その反射光をＣＣＤ等の光電変換デバイスを備えた受光部に入射させるようにしてある。原稿静止型の画像読取装置では、例えば特開平９−３３０３９５号公報に記載されたイメージスキャナのように、プラテンガラス上に載置された原稿に対して前記光源ランプを移動させながらその光を照射する。他方、特開平８−１２５８０６号公報に記載の原稿読み取り装置や、特開平９−１７９２１３号公報に記載された走査光学装置等のように、光源ランプを定位置に配置させた状態で、原稿を給送させながら該光源ランプの光を照射する原稿給送型の画像読取装置がある。また、原稿静止型の画像読取装置であって、原稿給送装置を具備させることにより、原稿を静止させた状態と、給送させながらの状態とのいずれの状態でも画像を読み取ることができる原稿静止型と原稿給送型とを兼用した画像読取装置もある。
【０００３】
原稿静止型と原稿給送型とを兼用する画像読取装置では、プラテンガラス上に載置された原稿を覆う蓋体に原稿給送装置を備えさせると共に、給送されている原稿に対して光を照射できる位置に光源ランプを移動させるようにする構造が採用されている。また、プラテンガラスに、静止原稿の画像を読み取る場合のものと、給送原稿の画像を読み取る場合のものが備えられているものがある。給送原稿用のプラテンガラスには、その上を通過する原稿に対して光源ランプの光を照射するものであるから、帯板状のものが用いられている。
【０００４】
前記給送原稿用のプラテンガラスは帯板状のものであるため、破損しやすい。静止原稿をプラテンガラス上に載置させる操作のとき以外は、前記蓋体が原稿に被せられてこのプラテンガラスが隠れた状態にあるので、例えば蓋体の上に不用意に肱をついたりして、蓋体を強く押しつけたりした場合には、該プラテンガラスが撓んで、破損してしまうおそれがある。このため、このプラテンガラスの湾曲を防止するために、該プラテンガラスを厚肉の保持板によって支持するようにして、破損するまで撓んでしまうことを防止している。
【０００５】
また、給送原稿用のプラテンガラスは、その上面を原稿が通過する。このとき、原稿の移動が円滑に行われない場合には画像の読み取りに取って不都合である。他方、このプラテンガラスの上方には原稿を給送するためのローラやガイド部材等が設けられているが、これらガイド部材との間に適宜な間隙が形成されるようにして、原稿の円滑な移動が図られている。
【０００６】
上記ガイド部材などは、原稿給送装置に設けられて、前記蓋体に取り付けられている。画像読取装置を原稿静止型で利用する場合には、蓋体を開いて所定の位置に原稿を設置した後、外光の影響を排除するため蓋体を閉じて画像の読み取りを行う。原稿を所定の位置に位置決めする際には、原稿をプラテンガラス上で滑らせて行うことがある。このとき、原稿を不用意に給送原稿用のプラテンガラスの上を滑らせることがあり、そのような場合に該プラテンガラスとガラス押さえ部材等との間に間隙が設けられていると、この間隙に原稿が入り込んでしまって不都合である。このため、ガラス押さえ部材等にプラテンガラスが密着していることが必要となる。
【０００７】
【発明が解決しようとする課題】
しかしながら、画像読取装置の高性能化や小型化の要求が強くなり、上述した従来の給送原稿用のプラテンガラスの保持構造では、次のような問題が生じるおそれがある。画像読取装置の高性能化は、原稿の画像を、より鮮明にして再現することが要求される。このため、光源ランプの高輝度化が図られると共に、光源ランプを極力原稿に接近させることが要求される。光源ランプを原稿に接近させることは、光源ランプと原稿との間の距離を小さくするから、画像読取装置の薄型化を図り、小型化の要求にも通じている。ところが、プラテンガラスの保持板の肉厚が大きいと、原稿ランプと原稿との距離を接近させる妨げとなり、高性能化を図り難いと共に、小型化を図る上で障害となる。しかも、厚肉の保持板であるための、重量の面でも軽量化を図り難い。
【０００８】
また、原稿の位置決め時にプラテンガラスとガラス押さえ部材等との間に、原稿が差し込まれることを防止するために、プラテンガラスがガラス押さえ部材等に密着されていると、このプラテンガラスと前記ガイド部材等との間に確保される間隙に相当する分、該ガイド部材が取付られた蓋体の高さが高くなり、画像読取装置を大型にしてしまうおそれがある。
【０００９】
そこで、この発明は、給送原稿用のプラテンガラスを保持する保持板の肉厚を極力薄くできる構造として画像読取装置の小型化を図ることを主たる目的とし、さらに、蓋体を閉じない状態では、プラテンガラスをガラス押さえ部材等に密着させて原稿がこれらプラテンガラスとガラス押さえ部材等との間に差し込まれることを防止し、蓋体を閉じた状態ではプラテンガラスを僅かに押し下げて、原稿給送装置のガイド部材等との間に適宜な間隙を形成して、円滑に原稿を給送できるようにした画像読取装置の給送原稿読取用プラテンガラスの保持構造を提供することを目的としている。
【００１０】
【課題を解決するための手段】
前記の目的を達成するための技術的手段として、この発明に係る画像読取装置の給送原稿読取用プラテンガラスの保持構造は、給送される原稿に対して定位置に設置された光源ランプから光を照射し、その反射光を捕捉して原稿に形成された画像に関する情報を捕捉する画像読取装置において、前記原稿の給送時に該原稿を適宜に緊張させて平面化して案内するプラテンガラスを、保持手段によって保持させて、装置のフレームに連繋させ、前記保持手段を、プラテンガラスを一端部に載置させて支持するガラス支持部と、該ガラス支持部の他端部を載置させて支持し前記フレームに支持される被支持部とで形成し、前記ガラス支持部を磁性を備えた薄肉の板材で形成し、前記被支持部を厚肉の板材で形成し、前記ガラス支持部の前記他端部の上方に磁石を設け、該磁石にガラス支持部が磁着した状態でガラス支持部が前記被支持部から離隔し、所定値以上の荷重がプラテンガラスに加えられた状態で、前記ガラス支持部が前記磁石の磁力による拘束から離脱して前記被支持部に載置されることを特徴としている。
【００１１】
プラテンガラスに不用意に荷重が加えられた場合に、該プラテンガラスが撓もうとしても、前記厚肉の被支持部によって規制されて一定量以上は撓むことがなく、破損することが防止される。
【００１２】
しかも、プラテンガラスは薄肉の前記ガラス支持部に載置されて支持されるから、該プラテンガラスを光源ランプに接近させることができ、該プラテンガラス上を通過する原稿も光源ランプに接近する。したがって、原稿を高輝度で照明することができ、画像を鮮明にしてその画像情報を取得できる。加えて、原稿と光源ランプとの間隔が小さくなるから、画像読取装置の薄型化を図ることができる。
【００１４】
例えば、プラテンガラスを蓋体で閉じた場合に、該蓋体の重量によりプラテンガラスに所定値以上の荷重が加えられるとする。したがって、プラテンガラスを閉じた状態で前記ガラス支持部が前記磁石の磁力から脱して下方に移動し、前記被支持部に載置されて支持された状態となる。また、蓋体を開放すると、ガラス支持部は磁石に磁着されて上方に移動する。すなわち、蓋体が開かれた状態でプラテンガラスは上方に持ち上げられて、ガラス押さえ部材に当接するので、該プラテンガラスとガラス押さえ部材との間に間隙が形成されず、原稿が差し込まれてしまうことがない。また、蓋体を閉じた状態では、プラテンガラスが下方に移動し、該プラテンガラスと蓋体に設けられた原稿給送装置のガイド部材等との間に適宜な間隙が形成されるから、原稿の給送を円滑に行うことができる。
【００１５】
また、請求項２の発明に係る画像読取装置の給送原稿読取用プラテンガラスの保持構造は、前記被支持部とフレームとの間に緩衝手段を介在させたことを特徴としている。
【００１６】
プラテンガラスに不用意に荷重が加えられた場合に、上記緩衝手段がこの荷重を受けて吸収するので、プラテンガラスが撓むことを防止する。
【００１９】
【発明の実施の形態】
以下、図示した好ましい実施の形態に基づいて、この発明に係る画像読取装置の給送原稿読取用プラテンガラスの保持構造を具体的に説明する。図１０はこの発明に係る保持構造を備えた画像読取装置１の装置本体を示す概略の斜視図で、この装置本体に図示しない蓋体が被せられる。装置本体は、筺体２に図示しないキャリッジや該キャリッジの駆動機構等が収容されて構成されている。この筺体２の上面の大部分を覆うように静止原稿用の主プラテンガラス３が取り付けられ、該主プラテンガラス３に隣接させて、給送原稿用の副プラテンガラス４が取り付けられる。なお、筺体２の背側の上面には図示しない蓋体を開閉自在に支持するヒンジが取り付けられるヒンジ台座部２ａが設けられている。
【００２０】
図２は、この発明に係る保持構造を備えた画像読取装置の筺体２を分解して示す図で、（ａ）は平面図で、（ｂ）は正面図である。筺体２は、板金を適宜に折曲し、溶接やネジ止めによって箱状に形成されている。この筺体２の上面の左端部に前記副プラテンガラス４が取り付けられる。なお、図示しない蓋体には原稿給送装置が備えられており、該原稿給送装置によって原稿が、筺体２の左端側から前記副プラテンガラス４の上方を通過させて前記主プラテンガラス３の上方に給送される。また、筺体２の正面側と背面側の上端部には、装置のフレームを構成する、それぞれ正面側天板２ｂと背面側天板２ｃとが取り付けられている。
【００２１】
副プラテンガラス４と主プラテンガラス３との間位置には、後方ガイド板１０が筺体２の正面側天板２ｂと背面側壁２ｃとに掛け渡された状態に取り付けられる。また、副プラテンガラス４よりも筺体２の端部側には、前方ガイド板２０が正面側天板２ｂと背面側天板２ｃに掛け渡された状態に取り付けられる。
【００２２】
前記後方ガイド板１０は、図１及び図２に示すように、厚肉の板材で形成された被支持部としての後方被支持板１１と薄肉の板材で形成されたガラス支持部としての後方ガラス支持板１２とによって構成されている。前記後方被支持板１１は主プラテンガラス３側に位置して、両端部が筺体２の正面側壁２ｂと背面側壁２ｃとに掛け渡される。後方ガラス支持板１２は、一端縁が後方被支持板１１に載置されて支持され、副プラテンガラス４側に位置している。この後方ガラス支持板１２の先端縁に副プラテンガラス４が載置されて支持されるようにしてある。また、後方被支持板１１の両端部は副プラテンガラス４の幅員方向に広がった支持板部１１ａが形成され、この支持板部１１ａが正面側天板２ｂと背面側天板２ｃのそれぞれにネジ止めされて、この後方ガイド板１０が固定される。なお、支持板部１１ａの一方には、原稿の蛇行走行を防止する、走行ガイド部１１ｂが形成されている。また、支持板部１１ａの内側端部には、規制舌片１１ｃが上方に突出して形成されており、この支持板部１１ａに載置される副プラテンガラス４の端面を該規制舌片１１ｃに当接させて位置決めされるようにしてある。
【００２３】
前記後方ガラス支持板１２は、図８に示すように、先端縁の方が低くなるように先端部がクランク状に折曲され、該低い部分で後方ガラス受け部１２ａが形成されて、この後方ガラス受け部１２ａに副プラテンガラス４の後側縁部が載置されて支持される。
【００２４】
前記前方ガイド板２０は、図１及び図２に示すように、厚肉の板材で形成された被支持部としての前方被支持板２１と薄肉の板材で形成されたガラス支持部としての前方ガラス支持板２２とによって構成されている。前記前方被支持板２１は、筺体２の左端部側に位置して、筺体２の正面側壁２ｂと背面側壁２ｃとに掛け渡される。前方ガラス支持板２２は、一端縁が前方被支持板２１に載置されて支持され、副プラテンガラス４側に位置している。この前方ガラス支持板２２の先端縁に副プラテンガラス４が載置されて支持されるようにしてある。また、被支持板２１の両端部は副プラテンガラス４の幅員方向に広がった支持板部２１ａが形成され、この支持板部２１ａが正面側天板２ｂと背面側天板２ｃのそれぞれにネジ止めされて、この前方ガイド板２０が固定される。
【００２５】
前記前方ガラス支持板２２は、図８に示すように、先端縁の方が低くなるように先端部がクランク状に折曲され、該低い部分で前方ガラス受け部２２ａが形成されて、この前方ガラス受け部２２ａに副プラテンガラス４の前側縁部が載置されて支持される。
【００２６】
また、副プラテンガラス４の長手方向の両端部には、該副プラテンガラス４の下側にスポンジゴム５を介在させてある。
【００２７】
以上により構成されたこの発明の給送原稿読取用プラテンガラスの保持構造の実施形態について、その作用を説明する。
【００２８】
図３は、前記副プラテンガラス４を筺体２に取り付けた状態を示す平面図である。筺体２に前記後方ガイド板１０と前方ガイド板２０を、正面側天板２ｂと背面側天板２ｃとに掛け渡し、それぞれの支持板部１１ａ、２１ａでネジ止めして取り付ける。これら後方ガイド板１０と前方ガイド板２０は、それぞれの後方ガラス支持板１２と前方ガラス支持板２２とが内側に位置した状態となるから、これらガラス支持板１２、２２に副プラテンガラス４を載置させて支持させる。また、副プラテンガラス４の両端部にはスポンジゴム５を介在させた状態とする。そして、図５に示すように、筺体２にカバー６を被せる。
【００２９】
上述のように取り付けられた副プラテンガラス４に不用意に荷重が加えられた場合には、該副プラテンガラス４が撓もうとするが、該副プラテンガラス４はガラス支持板１２、２２に支持され、これらガラス支持板１２、２２は厚肉の被支持板１１、２１にそれぞれ支持されているから、副プラテンガラス４が撓むことを阻止する。したがって、副プラテンガラス４が破損してしまうことを防止できる。
【００３０】
しかも、前記ガラス支持板１２、２２は薄肉で形成されているから、副プラテンガラス４の位置を低くすることができ、原稿給送型の画像読取装置１として使用する場合に、この副プラテンガラス４の下方に位置させた図示しない光源ランプと原稿とを極力接近させることができ、画像が鮮明となるように照明して画像情報を得ることができる。
【００３１】
次に、図６〜図８に示す実施形態について説明する。なお、図１〜図５に示した実施形態と同一の部分は同一の符号を附して、その説明を省略する。前記カバー６の裏面であって、前記後方ガラス支持板１２と前方ガラス支持板２２との上方に、それぞれ磁石３１が取り付けられている。また、これらガラス支持板１２、２２はこの磁石に磁着される磁性体で形成されている。そして、図示しない蓋体が開放されている状態では、ガラス支持板１２、２２が磁石３１に磁着され、蓋体が被せられた状態で、該蓋体に組み込まれた原稿給送装置の給送ローラやガイド部材等が副プラテンガラス４に当接して、荷重を加えられてガラス支持板１２、２２が磁石３１から離脱するようにしてある。また、後方被支持板１１と前方被支持板２１とのそれぞれの下面には、緩衝手段としてスポンジゴム３２を介在さてある。
【００３２】
この図６〜図８に示す実施形態の作用を、以下に説明する。図６〜図８は筺体２に蓋体２が被せられていない状態、すなわち原稿を主プラテンガラス３にセットするために蓋体２が開かれた状態を示しており、図８に示すように、副プラテンガラス４が載置されているガラス支持板１２、２２は、磁石３１の磁力を受けて該磁石３１に磁着されている。なお、ガラス支持板１２、２２は、それぞれ被支持板１１、２１から僅かに離れた状態となっている。
【００３３】
副プラテンガラス４がカバー６に密着した図８に示す状態にある場合に、筺体２に蓋体を被せると、その荷重Ｐが副プラテンガラス４に作用し、前記磁石３１からガラス支持板１２、２２が離脱し、副プラテンガラス４が下方に移動する。このとき、図９に示すように、ガラス支持板１２、２２は、それぞれ被支持板１１、２１に載置されて支持される。従って、副プラテンガラス４は一定の位置に位置付き、蓋体に設けられた原稿給送機構との間に適宜な間隙が形成されて、原稿を円滑に給送することができる。しかも、例えば、原稿の厚さが大きくなった場合には、前記スポンジゴム３２が圧潰されて、適宜に副プラテンガラス４が押し下げられて、原稿の給送に支障が生じない。
【００３４】
この画像読取装置１を原稿静止型のものとして使用する場合には、原稿を前記主プラテンガラス３に載置させるために蓋体を開放する。これにより、副プラテンガラス４に加えられていた荷重が除去されるから、図８に示すように、ガラス支持板１２、２２は磁石３１に磁着され、副プラテンガラス４が上方に移動する。このため、副プラテンガラス４とカバー６との間の間隙がなくなり、原稿を誤って副プラテンガラス４に移動させてしまった場合に、該原稿が副プラテンガラス４とカバー６の間に差し込まれてしまうことがない。
【００３５】
以上に説明した図６〜図９に示す実施形態は、画像読取装置１の給送原稿の画像を照明する場合の機構について説明したが、これに限られず、所望の荷重で所定の板状部材を定位置から他の位置へ移動させ、当該荷重が除去された場合には該板状部材が定位置に復帰することが要求させる構造についても用いることができる。
【００３６】
【発明の効果】
以上説明したように、この発明に係る画像読取装置の給送原稿読取用プラテンガラスの保持構造によれば、原稿給送用のプラテンガラスを極力光源ランプに接近させることができるので、原稿に高輝度の光を照射することができる。このため、原稿の画像を鮮明にして、明瞭な画像情報を取得することができる。しかも、前記プラテンガラスを下げることにより、蓋体を下げることができるので、画像読取装置の小型化を図ることができる。
【００３７】
また、所定値以上の荷重が加えられた場合には、プラテンガラスが下方に移動して蓋体に設けられた原稿給送機構との間に適宜な間隙が形成されるから、原稿の給送を円滑に行うことができる。荷重が除去された場合には、磁石の磁力を受けてプラテンガラスが上方に移動して、該プラテンガラスが装置のガラス押さえ部材等と密着するので、これらの間の間隙がなくなり、誤って原稿をこれらの間に差し込んでしまうことがない。特に、蓋体を閉じた場合に、所定値以上の荷重が加えられるようにすれば、蓋体の開閉に伴ってプラテンガラスが移動することになり、操作が簡便となる。
【００３８】
また、請求項２の発明に係る画像読取装置の給送原稿読取用プラテンガラスの保持構造によれば、プラテンガラスに不用意に荷重が加えられた場合に、緩衝手段でこの荷重が吸収されて、プラテンガラスを撓ませることがない。
【図面の簡単な説明】
【図１】この発明に係る画像読取装置の給送原稿読取用プラテンガラスの保持構造を説明する図で、図４示す画像読取装置の構成体の一部を拡大して示す断面図である。
【図２】この発明に係る給送原稿読取用プラテンガラスの保持構造を備えた画像読取装置の分解図であり、（ａ）が平面図、（ｂ）は正面図である。
【図３】この発明に係る給送原稿読取用プラテンガラスの保持構造を具備させるのに適した画像読取装置の筺体の平面図で、給送原稿読取用のプラテンガラスを取り付けた状態を示している。
【図４】図３に示す筺体の正面図である。
【図５】図３に示す筺体にカバーを被せた状態を示している。
【図６】この発明に係る給送原稿読取用プラテンガラスの保持構造の他の実施形態を説明する図で、プラテンガラスを取り付けた状態の平面図である。
【図７】図６に示す筺体の正面図である。
【図８】図７に示す筺体の一部を拡大して示す断面図で、蓋体が開かれた状態を示している。
【図９】図８に示す状態から、蓋体が被せられてその荷重が作用した状態を示している。
【図１０】この発明に係る給送原稿読取用プラテンガラスの保持構造を備えた画像読取装置を示す斜視図である。
【符号の説明】
１  画像読取装置
２  筺体
２ｂ  正面側天板
２ｃ  背面側天板
３  主プラテンガラス
４  副プラテンガラス
５  スポンジゴム（緩衝手段）
６  カバー
１０  後方ガイド板
１１  後方被支持板（被支持部）
１１ａ  支持板部
１１ｂ  走行ガイド部
１１ｃ  規制舌片
１２  後方ガラス支持板（ガラス支持部）
２０  前方ガイド板
２１  前方被支持板（被支持部）
２１ａ  支持板部
２２  前方ガラス支持板（ガラス支持部）
２２ａ  前方ガラス受け部
３１  磁石
３２  スポンジゴム（緩衝手段）
【図１】
0003985067.tif 000002
【図２】
0003985067.tif 000003
【図３】
0003985067.tif 000004
【図４】
0003985067.tif 000005
【図５】
0003985067.tif 000006
【図６】
0003985067.tif 000007
【図７】
0003985067.tif 000008
【図８】
0003985067.tif 000009
【図９】
0003985067.tif 000010
【図１０】
0003985067.tif 000011